(57)【要約】【課題】取付部材と透光カバーとに囲まれた空間内への異物の進入を抑制できる光源用筐体、光源ユニット、及び照明器具を提供する。【解決手段】光源用筐体２０は、取付部材２２と、透光カバー２１と、保護部材３と、を備えている。取付部材２２は、光源モジュール４が下面２２０１に取り付けられる。透光カバー２１は、下面２２０１と対向する底部２１０、及び底部２１０の周縁から取付部材２２に向かって突出する周壁部２１１を有し、下面２２０１を覆うように取付部材２２に取り付けられる。保護部材３は、周壁部２１１の端部であって取付部材２２と対向するカバー端部２１１１と、取付部材２２と、で挟まれる。また、保護部材３は、柔軟性を有し少なくとも一部がカバー端部２１１１と取付部材２２との間に位置する保護シート３１を有する。【選択図】図１
2019012607.tif 000002
【特許請求の範囲】
【請求項１】
光源モジュールが一面に取り付けられる取付部材と、
前記一面と対向する底部、及び前記底部の周縁から前記取付部材に向かって突出する周壁部を有し、前記一面を覆うように前記取付部材に取り付けられる透光カバーと、
前記周壁部の端部であって前記取付部材と対向するカバー端部と前記取付部材とで挟まれる保護部材と、を備え、
前記保護部材は、柔軟性を有し少なくとも一部が前記カバー端部と前記取付部材との間に位置する保護シートを有する
ことを特徴とする光源用筐体。
【請求項２】
前記保護シートは、前記取付部材と前記カバー端部との間に位置する第１部分と、前記取付部材と前記光源モジュールとの間に位置する第２部分と、を有する
ことを特徴とする請求項１記載の光源用筐体。
【請求項３】
前記透光カバーは、前記カバー端部から突出した爪部を更に有し、
前記爪部は、前記取付部材に設けられた貫通孔を通って前記貫通孔の縁に引っ掛けられ、
前記保護シートは、前記貫通孔に対応する部位にスリットが設けられている
ことを特徴とする請求項１又は２記載の光源用筐体。
【請求項４】
前記保護シートは、前記貫通孔に対応する部位に前記スリットが複数設けられている
ことを特徴とする請求項３記載の光源用筐体。
【請求項５】
前記保護部材は、前記保護シートに設けられたシールを更に有し、
前記シールは、前記保護シートと共に、前記カバー端部と前記取付部材とで挟まれる
ことを特徴とする請求項１〜４のいずれか１項に記載の光源用筐体。
【請求項６】
前記シールは、前記保護シートに対して前記透光カバー側に設けられている
ことを特徴とする請求項５記載の光源用筐体。
【請求項７】
前記シールは、弾性を有する弾性部材であり、弾性変形して前記カバー端部に密着する
ことを特徴とする請求項６記載の光源用筐体。
【請求項８】
前記シールは、発泡樹脂で構成されている
ことを特徴とする請求項７記載の光源用筐体。
【請求項９】
請求項１〜８のいずれか１項に記載の光源用筐体と、
前記光源用筐体に収納される光源モジュールと、を備え、
前記光源モジュールは、
前記取付部材に取り付けられる実装基板と、
前記実装基板に実装された固体光源と、を有する
ことを特徴とする光源ユニット。
【請求項１０】
請求項９に記載の光源ユニットと、
前記光源ユニットを支持する器具本体と、を備える
ことを特徴とする照明器具。
【発明の詳細な説明】
【技術分野】
【０００１】
本発明は、一般に光源用筐体、光源ユニット、及び照明器具に関し、より詳細には光源モジュールを収納可能な光源用筐体、これを備えた光源ユニット、及び照明器具に関する。
【背景技術】
【０００２】
従来例として特許文献１記載の照明器具を例示する。特許文献１記載の照明器具は、器具本体と、光源ユニットと、枠と、透光性のパネルとを備える。器具本体は、下面が開口した箱状に形成され、天井材に設けた開口部に埋め込まれた状態で設置される。光源ユニットは器具本体の内部に収納される。枠は、器具本体の開口と繋がるように貫通孔が設けられ、天井材における開口部の周縁に上面を当接させた状態で器具本体に取り付けられる。パネルは、貫通孔を塞ぐようにして枠に保持される。
【先行技術文献】
【特許文献】
【０００３】
【特許文献１】特開２０１４−２３２７１３号公報
【発明の概要】
【発明が解決しようとする課題】
【０００４】
器具本体（取付部材）、枠、及びパネル（透光カバー）に囲まれた空間内に異物等が進入した場合、光源の照射光によって、異物が影としてパネルに映るおそれがあった。
【０００５】
本発明は、上記事由に鑑みてなされており、その目的は、取付部材と透光カバーとに囲まれた空間内への異物の進入を抑制できる光源用筐体、光源ユニット、及び照明器具を提供することにある。
【課題を解決するための手段】
【０００６】
本発明の一態様に係る光源用筐体は、取付部材と、透光カバーと、保護部材と、を備える。前記取付部材は、光源モジュールが一面に取り付けられる。前記透光カバーは、前記一面と対向する底部、及び前記底部の周縁から前記取付部材に向かって突出する周壁部を有し、前記一面を覆うように前記取付部材に取り付けられる。前記保護部材は、前記周壁部の端部であって前記取付部材と対向するカバー端部と、前記取付部材と、で挟まれる。前記保護部材は、柔軟性を有し少なくとも一部が前記カバー端部と前記取付部材との間に位置する保護シートを有する。
【０００７】
本発明の一態様に係る光源ユニットは、前記光源用筐体と、前記光源用筐体に収納される光源モジュールと、を備える。前記光源モジュールは、前記取付部材に取り付けられる実装基板と、前記実装基板に実装された固体光源と、を有する。
【０００８】
本発明の一態様に係る照明器具は、前記光源ユニットと、前記光源ユニットを支持する器具本体と、を備える。
【発明の効果】
【０００９】
本発明の光源用筐体、光源ユニット、及び照明器具では、取付部材と透光カバーとに囲まれた空間内への異物の進入を抑制できるという効果がある。
【図面の簡単な説明】
【００１０】
【図１】図１は、本発明の一実施形態に係る照明器具の分解斜視図である。
【図２】図２は、同上の照明器具における器具本体の正面図である。
【図３】図３は、同上の照明器具における光源ユニットの分解斜視図である。
【図４】図４は、同上の光源ユニットの一部破断した正面図である。
【図５】図５は、同上の光源ユニットの平面図である。
【図６】図６は、同上の光源ユニットの左側面図である。
【図７】図７は、同上の光源ユニットにおけるユニットカバーを取り外した状態の斜視図である。
【図８】図８Ａは、同上の光源ユニットにおける透光カバーを省略し一部拡大した平面図である。図８Ｂは、図８ＡのＡ−Ａ線断面図である。
【図９】図９は、同上の光源ユニットにおける一部拡大した断面図である。
【図１０】図１０は、同上の光源ユニットにおける一部拡大した別の断面図である。
【図１１】図１１は、同上の照明器具の本体部を省略した斜視図である。
【図１２】図１２は、同上の照明器具の斜視図である。
【図１３】図１３は、同上の照明器具の本体部を省略し一部拡大した平面図である。
【図１４】図１４Ａは、本発明の一実施形態の変形例に係る光源用筐体における透光カバーを省略し一部拡大した断面図である。図１４Ｂは、同上の光源用筐体における一部拡大した断面図である。
【図１５】図１５は、同上の照明器具における別の種類の光源ユニットの正面図である。
【図１６】図１６は、同上の別の種類の光源ユニットの平面図である。
【図１７】図１７は、同上の別の種類の光源ユニットの左側面図である。
【図１８】図１８は、同上の照明器具において別の種類の光源ユニットを仮吊りしている状態の斜視図である。
【図１９】図１９は、同上の照明器具において別の種類の光源ユニットを取り付けた状態の本体部を省略した斜視図である。
【発明を実施するための形態】
【００１１】
本発明の一実施形態に係る照明器具１について、図面を参照して詳細に説明する。本実施形態の照明器具１は、造営材（例えば、天井）に直付け可能な照明器具である。なお、以下の実施形態で説明する構成は本発明の一例にすぎない。本発明は、以下の実施形態に限定されず、本発明の効果を奏することができれば、設計等に応じて種々の変更が可能である。すなわち、照明器具１は、天井以外の造営材（例えば、壁など）に直付けされる照明器具、あるいは、造営材（例えば、天井又は壁）に埋め込まれる埋込型の照明器具であってもよい。
【００１２】
本実施形態の照明器具１は、図１に示すように、光源ユニット２と、光源ユニット２を支持する器具本体１０とを備えている。ただし、以下の説明では、特に断りのない限り、図１における上下方向、前後方向及び左右方向を照明器具１の上下方向、前後方向及び左右方向と規定する。
【００１３】
器具本体１０は、造営材（天井）に取り付けられる本体部１１と、本体部１１に着脱可能に結合されて本体部１１を覆う本体カバー１２とを有している。本体部１１は、亜鉛鋼板などの金属材料により、下面が開放された浅い箱状に形成されている。なお、上下方向から見た本体部１１の外形は正方形である。本体部１１の底面の中央に円形の電源孔１１０が設けられている。また、電源孔１１０の近傍に信号孔１１１が設けられている。本体部１１の底面における電源孔１１０の近傍に第１端子台１４が配置され、信号孔１１１の近傍に第２端子台１５が配置されている。第１端子台１４は、電源孔１１０に挿通される電源ケーブル１６と電気的に接続される（図２参照）。また、第２端子台１５は、信号孔１１１に挿通される信号ケーブル１８と電気的に接続される（図２参照）。さらに第１端子台１４から引き出された電源線１４０の先端に電源用プラグコネクタ１７が取り付けられている。また、第２端子台１５からは信号線１５０が引き出されている。
【００１４】
本体部１１の底面には複数のボルト挿通孔１１２も設けられている（図１参照）。これら複数のボルト挿通孔１１２は、長軸の方向を本体部１１の前後方向に一致させた長円形に形成されている。本体部１１は、これら複数のボルト挿通孔１１２のうちの少なくとも２つのボルト挿通孔１１２に挿通される吊りボルトにナットが締め付けられることによって天井に取り付けられる。
【００１５】
さらに、本体部１１の底面には４つの引掛ばね１３が設けられている。各引掛ばね１３は、コイル部１３０と２本の腕部とを有するねじりコイルばねで構成されている。２本の腕部のうちで長い方の腕部を第１腕部１３１と呼び、短い方の腕部を第２腕部１３２と呼ぶ。第１腕部１３１の先端は鉤形に曲げられている（図１参照）。
【００１６】
各引掛ばね１３は、金具１３３によって本体部１１に取り付けられている（図１参照）。金具１３３は、引掛ばね１３のコイル部１３０を、コイル部１３０の軸回りに回転可能かつコイル部１３０の軸方向に移動可能に支持するように構成されている。
【００１７】
本体カバー１２は、亜鉛鋼板などの金属材料により、上下方向から見た形状が正方形である開口部１２０を有する枠状に形成されている。なお、本体カバー１２における開口部１２０の外側の部分（第１部分１２１）が開口部１２０を底面（上底）とする正四角錐台の錐体面となる形状に形成されている。さらに、本体カバー１２における第１部分１２１の外側の部分（第２部分１２２）が第１部分１２１の周縁を底面（上底）の四辺とする正四角錐台の錐体面となる形状に形成されている。なお、第１部分１２１及び第２部分１２２の下面は白色の塗料で塗装されることが好ましい。ただし、本体カバー１２の形状は上述したような２つの錐体面を組み合わせた形状に限定されない。例えば、本体カバー１２は平板状であってもかまわない。
【００１８】
本体カバー１２は、図１に示すように、開口部１２０の４つの縁のそれぞれから上向き（本体部１１に近付く向き）に突出する突壁１２３を有している。４つの突壁１２３のうち前後方向に対向する２つの突壁１２３のそれぞれには、逆Ｕ字状の貫通孔１２４、及び引掛ばね１３の第１腕部１３１が引っ掛けられる引掛部１２５が２つずつ設けられている（図２参照）。また、４つの突壁１２３のうち開口部１２０の右方の縁から突出した突壁１２３には、逆Ｕ字状の貫通孔が設けられている。また、４つの突壁１２３のうち開口部１２０の左方の縁から突出した突壁１２３は、上下方向の高さ寸法が他の３つの突壁１２３の上下方向の高さ寸法よりも小さい。
【００１９】
本体カバー１２は、本体部１１が有する４つの引掛ばね１３の第１腕部１３１が各引掛ばね１３に対応する引掛部１２５に引っ掛けられることにより、各引掛ばね１３のばね力によって本体部１１と結合される。
【００２０】
光源ユニット２は、図３〜図７に示すように、２つの光源モジュール４と、２つの光源モジュール４を収納する光源用筐体２０と、を備えている。光源用筐体２０は、取付部材２２と、透光カバー２１と、保護部材３と、を備えている。また、光源ユニット２は、光源用筐体２０に取り付けられる電源ユニット２４、機能ユニット２５、ユニットカバー２３、及び２つの取付ばね２６を更に備えている。
【００２１】
取付部材２２は、正方形の取付板２２０と、取付板２２０の４つの辺からそれぞれ下向きに突出する４つの側板２２１とを有している。ただし、取付板２２０と４つの側板２２１とは、亜鉛鋼板などの金属板が曲げ加工されて一体に形成されることが好ましい。４つの側板２２１の各々は、細長い台形状に形成されている。
【００２２】
保護部材３は、保護シート３１と、４つのシール３２（パッキン）と、を有している。
【００２３】
保護シート３１は、例えばポリエチレンテレフタラート（polyethylene terephthalate）等で構成された樹脂製シートである。保護シート３１は、取付板２２０と略同じ寸法の正方形状であり、取付板２２０の下面２２０１を覆うように取付板２２０に取り付けられる。保護シート３１は、厚さが例えば0.188〔mm〕であり、柔軟性、及び弾性を有している。また、保護シート３１は、光源モジュールの照射光の反射効率を向上させるために白色であることが好ましいが、白色以外の色、あるいは半透明、透明であってもよい。
【００２４】
４つのシール３２の各々は、弾性を有する弾性部材であり、本実施形態では、例えば発泡ポリエチレン等の発泡樹脂で構成されている。４つのシール３２は、それぞれが直方体状に形成されている。４つのシール３２は、保護シート３１の下面３１０との間に設けられた接着剤により、保護シート３１の４辺それぞれに沿うように接着されている。なお、本実施形態では、４つのシール３２が組み合わさることで枠状に形成されているが、４つのシール３２が一体に形成されていてもよい。
【００２５】
２つの光源モジュール４の各々は、実装基板４１と複数のＬＥＤ４２（固体光源）とを備えている。各光源モジュール４は、長方形状の実装基板４１の実装面（下面）に複数のＬＥＤ４２を実装して構成されている（図３、図４参照）。各ＬＥＤ４２は、例えば、白色光を放射する照明用白色ＬＥＤである。これら複数のＬＥＤ４２は、実装基板４１の実装面に格子状に配置され、実装面に形成されている配線導体（銅はく）を介して互いに電気的に接続されている。実装基板４１の実装面は、ＬＥＤ４２の照射光の反射効率を向上させるために白色に着色されている。各光源モジュール４は、取付板２２０との間に保護シート３１を挟むようにして、取付板２２０の下面２２０１に、ねじ止めにより取り付けられる。また、２つの光源モジュール４は、左右方向に間隔を空けて並ぶように取付板２２０に取り付けられる。
【００２６】
また、各実装基板４１の実装面には、配線導体を介して各ＬＥＤ４２と電気的に接続されたレセプタクルコネクタ４３が実装されている。レセプタクルコネクタ４３は、実装基板４１に形成された挿通孔、保護部材３の保護シート３１に形成された挿通孔３１１、及び及び取付板２２０に形成された挿通孔２２０３（図３、図７参照）のそれぞれを上下方向に貫通するように設けられている。つまり、各レセプタクルコネクタ４３は、実装基板４１が取付板２２０の下面２２０１に取り付けられた状態で、取付板２２０の上面２２０２から上方に突出するように、実装基板４１に実装されている。各レセプタクルコネクタ４３は、取付板２２０の上面２２０２側において、電源ユニット２４の出力コネクタ２４３に接続された出力ケーブル２４３０のプラグコネクタ２４３１が接続される。
【００２７】
透光カバー２１は、正方形状の底部２１０と、底部２１０の周縁から上向きに立ち上がる周壁部２１１と、周壁部２１１の上端部であるカバー端部２１１１に設けられた４つの爪部２１２とを有している。４つの爪部は、それぞれが鉤形に形成されており、枠状のカバー端部２１１１における各辺の中央部から上向きに突出している。各爪部は、カバー端部２１１１から上向きに突出した矩形板状の挿通片２１２１と、挿通片２１２１における周壁部２１１の外側を向いた一面から突出した断面形状が三角形の係止片２１２２とを有する。底部２１０と周壁部２１１と４つの爪部２１２は、アクリル樹脂やポリカーボネート樹脂などの透光性を有する合成樹脂材料によって一体に形成されることが好ましい。また、少なくとも底部２１０及び周壁部２１１は、その表面にシボ加工が施されることによって光を拡散するように構成されることが好ましい。あるいは、少なくとも底部２１０及び周壁部２１１は、合成樹脂材料に拡散剤が混入されることによって光を拡散するように構成されることが好ましい。
【００２８】
透光カバー２１は、底部２１０及びカバー端部２１１１が取付板２２０の下面２２０１と対向し、取付部材２２の側板２２１の内側に周壁部２１１が収まるように取付部材２２に取り付けられる（図６参照）。ここで、取付板２２０において、透光カバー２１の４つの爪部２１２と対応する位置、すなわち、取付板２２０の４つの辺における長手方向の中央に貫通孔２２０４が１つずつ設けられている。各爪部２１２は、対応する貫通孔２２０４に取付板２２０の下側から挿通され、取付板２２０の上面２２０２における貫通孔２２０４の縁に係止片２１２２が引っ掛かる（図５、図６参照）。
【００２９】
ここで、保護シート３１は、爪部２１２を貫通孔２２０４に挿通させやすくするために、貫通孔２２０４の一部を露出させるように凹部３１２が設けられている（図３、図８Ａ参照）。また、保護シート３１における貫通孔２２０４に対応する部位には、複数（本実施形態では７本）のスリット３１３が設けられている。貫通孔２２０４に対応する部位とは、保護シート３１における貫通孔２２０４を覆っている部位、及びその周辺の部位である。複数のスリット３１３は、互いに平行であり、保護シート３１における端（凹部３１２の底辺）から反対側の端に向かって形成されている。この複数のスリット３１３により、短冊形の複数の可動片３１４が形成される。なお、一方向（図８Ａでは左右方向）に並ぶ複数の可動片３１４のうち、両端の可動片３１４の幅は、他の可動片３１４の幅よりも小さい。
【００３０】
また、シール３２は、保護シート３１の凹部３１２に沿うように、幅が他の部位よりも小さい幅狭部３２１を有している（図３参照）。シール３２には、スリットが設けられておらず、幅狭部３２１が複数のスリット３１３に跨り、複数の可動片３１４と重なっている。
【００３１】
透光カバー２１を取付部材２２に取り付けるために、透光カバー２１の爪部２１２が貫通孔２２０４を挿通することによって、シール３２における爪部２１２の縁に当たる部分が突き破られる。また、保護シート３１の複数の可動片３１４は、爪部２１２に追従して、貫通孔２２０４を挿通するように曲げられる（図９参照）。
【００３２】
電源ユニット２４は、プリント配線板２４１に電子部品が実装されて構成された電源回路と、この電源回路を収容するケース２４０とを有している（図５、図６参照）。電源回路は、入力コネクタ２４２（図７参照）、整流器、力率改善回路、降圧型のＤＣ／ＤＣコンバータ、出力コネクタ２４３、制御用コネクタ２４４（図７参照）などを備えている。入力コネクタ２４２は、プラグコネクタ２４２１を介して入力ケーブル２４２０が接続されている。入力ケーブル２４２０の先端には、電源用プラグコネクタ１７と抜き差し可能に構成されたレセプタクルコネクタ２４２２が取り付けられている。入力コネクタ２４２は、入力ケーブル２４２０、電源ケーブル１６、及び第１端子台１４を介して電源線１４０と電気的に接続される。電源回路は、入力コネクタ２４２から入力する交流電力を直流電力に変換した後、変換後の直流電力を出力コネクタ２４３から出力ケーブル２４３０を介して出力する。直流電力は、出力ケーブル２４３０に結線されたプラグコネクタ２４３１、及びレセプタクルコネクタ４３を介して各光源モジュール４の各ＬＥＤ４２に供給される。また、電源回路は、機能ユニット２５から制御用ケーブル２４４０を介して制御用コネクタ２４４に入力される制御信号に応じて、出力コネクタ２４３から出力する直流電力を増減し、光源モジュール４の光出力を調整（調光）するように構成されている。なお、図７では、入力ケーブル２４２０、出力ケーブル２４３０、制御用ケーブル２４４０等の図示を省略している。
【００３３】
プリント配線板２４１は、長尺の矩形平板状の絶縁基板の部品面に配線導体（銅はく）が形成されている。プリント配線板２４１の表面に、入力コネクタ２４２、出力コネクタ２４３、制御用コネクタ２４４、平滑コンデンサ、チョークコイルなどの、いわゆるリード部品が実装される。そして、プリント配線板２４１のはんだ面に電源回路を構成している電子部品のうちの表面実装部品が実装される。ただし、入力コネクタ２４２及び制御用コネクタ２４４は、プリント配線板２４１の長手方向の一端に実装され、出力コネクタ２４３は、プリント配線板２４１の長手方向の他端に実装されている。ケース２４０は、図５〜図７に示すように、金属製の板材によって長尺の箱状に形成されている。ケース２４０は、入力コネクタ２４２、出力コネクタ２４３、及び制御用コネクタ２４４を露出するようにしてプリント配線板２４１を内部に収容している。電源ユニット２４は、取付板２２０の上面２２０２における前端に、ケース２４０の長手方向を左右方向に一致させるようにして取付板２２０にねじ止めされている。
【００３４】
機能ユニット２５は、プリント配線板と、プリント配線板を収納するハウジング２５０と、入力端子台２５１を有する（図５参照）。入力端子台２５１は、第２端子台１５から引き出された信号線１５０と電気的に接続される。プリント配線板に電子部品が実装されて制御回路が構成されている。また、機能ユニット２５からは、制御用ケーブル２４４０が引き出されている。制御用ケーブル２４４０の先端に取り付けられたプラグコネクタ２４４１は、電源ユニット２４の制御用コネクタ２４４に接続される。制御回路は、例えば、信号線１５０を介して入力端子台２５１に入力される制御信号を、電源ユニット２４に対応した制御信号に変換するように構成される。ただし、機能ユニット２５は、電波を媒体とする制御信号（無線信号）を電気信号に変換するように構成されてもよい。ハウジング２５０は、ユニットカバー２３に取り付けられる（図５〜図７参照）。
【００３５】
取付ばね２６は、コイル部２６０と、２本の腕部と、端末部２６３とを有するねじりコイルばねで構成されている。２本の腕部のうちで長い方の腕部を第１腕部２６１と呼び、短い方の腕部を第２腕部と呼ぶ。第１腕部２６１は、引掛片２６４と、第１腕片２６５と、第２腕片２６６とを有している。第１腕片２６５は、コイル部２６０の端末からコイル部２６０の径方向に突出している。ただし、第１腕片２６５の長手方向における複数箇所（例えば、２箇所）が同じ向き（下向き）に曲げられている（図６参照）。引掛片２６４は、前後方向から見てＵ字状に形成され、長手方向の一端で第１腕片２６５の先端とつながり、長手方向の他端で第２腕片２６６の先端とつながっている（図５参照）。第２腕片２６６の後端は、端末部２６３とつながっている。ただし、第２腕片２６６の長手方向における複数箇所（例えば、２箇所）が同じ向き（下向き）に曲げられている。端末部２６３は、第２腕片２６６の後端から引掛片２６４とほぼ平行に突出している。
【００３６】
ユニットカバー２３は、図５に示すように、平坦部２３０と、湾曲部２３１と、３つの第１取付部２３２と、第２取付部２３３と、第１抜け止め部２３４と、第２抜け止め部２３５とを有している。なお、平坦部２３０と、湾曲部２３１と、３つの第１取付部２３２と、第２取付部２３３と、第１抜け止め部２３４と、第２抜け止め部２３５とは、亜鉛鋼板などの金属板によって一体に構成されている。ユニットカバー２３は、取付部材２２の取付板２２０の上面２２０２を覆うように設けられていう。
【００３７】
平坦部２３０は、平板状に形成されており、取付部材２２における取付板２２０の上面２２０２に沿っている。平坦部２３０の後端（図５における下端）に湾曲部２３１がつながっている。
【００３８】
湾曲部２３１は、平坦部２３０の後端から上方へ突出するように湾曲している。ただし、湾曲部２３１の前半部分は平坦部２３０から離れるにつれて緩やかに湾曲し、湾曲部２３１の後半部分は湾曲部２３１の頂点から下方に向かって急激に湾曲している（図６参照）。また、湾曲部２３１は、矩形の開口部２３１０を有している。開口部２３１０は、湾曲部２３１において、電源ユニット２４のケース２４０と対応する位置、すなわち、ケース２４０を露出させるように形成されている。したがって、開口部２３１０を通して電源ユニット２４の発する熱を湾曲部２３１の外（上）に逃がすことができる。また、電源ユニット２４において、ケース２４０から露出するように配置された入力コネクタ２４２、出力コネクタ２４３、及び制御用コネクタ２４４は、ユニットカバー２３の湾曲部２３１により覆われている。これにより、導電部分である入力コネクタ２４２、出力コネクタ２４３、制御用コネクタ２４４が保護される。
【００３９】
３つの第１取付部２３２は、平坦部２３０の前端（図５における上端）と、平坦部２３０の右端（図５における左端）と、湾曲部２３１の後端とに１つずつ設けられている。３つの第１取付部２３２は、ほぼ同一の構成を有している。各第１取付部２３２は、第１支持部２３２１と、第２支持部２３２２（図６参照）とを有している。第１支持部２３２１は、幅細の板状に形成されている（図５参照）。第１支持部２３２１は、取付ばね２６のコイル部２６０に挿通されてコイル部２６０の軸回りに回転可能にコイル部２６０を支持することが可能である。第２支持部２３２２は平板状に形成され、平坦部２３０の端縁から下向きに突出している。第２支持部２３２２は、厚み方向に貫通する孔２３２３を有している（図６参照）。この孔２３２３は、取付ばね２６の端末部２６３が挿通可能な大きさに形成されている。第２支持部２３２２は、孔２３２３に挿通される端末部２６３を支持することが可能である。３つの第１取付部２３２のうち、湾曲部２３１を挟んで前後方向に対向する２つの第１取付部２３２のそれぞれに取付ばね２６が取り付けられている。
【００４０】
第２取付部２３３は、平坦部２３０の一部分が切り起こされて構成されている。第２取付部２３３は、機能ユニット２５のハウジング２５０に引っ掛けられることで機能ユニット２５を支持するように構成されている（図５〜図７参照）。
【００４１】
第１抜け止め部２３４は、平坦部２３０の左端（図５における右端）に設けられている。第１抜け止め部２３４は、平坦部２３０の一部分が切り起こされて構成されており、下方へ突出している。第１抜け止め部２３４は、透光カバー２１の左辺の爪部２１２に対応しており、この爪部２１２が挿通した貫通孔２２０４の一部と重なっている。つまり、第１抜け止め部２３４は、取付板２２０の左辺に設けられた貫通孔２２０４において、挿通した爪部２１２の残りの部分を塞ぐことにより、貫通孔２２０４内における爪部２１２の移動を規制している。これにより、第１抜け止め部２３４は、貫通孔２２０４から爪部２１２が抜けることを防止している。
【００４２】
残りの３つの爪部２１２は、３つの第２抜け止め部２３５（図７参照）により貫通孔２２０４から抜けることが防止されている。第２抜け止め部２３５は、平板状に構成されており、平坦部２３０の端部から下向きに突出している。平坦部２３０において、各第１取付部２３２の第１支持部２３２１の基端部分の一部が貫通孔２２０４の一部と重なっている。第２抜け止め部２３５は、平坦部２３０における貫通孔２２０４と重なっている部分の端部からして向きに突出している。第２抜け止め部２３５は、貫通孔２２０４において、挿通した爪部２１２の残りの部分を塞ぐことにより、貫通孔２２０４内における爪部２１２の移動を規制している。これにより、第２抜け止め部２３５は、貫通孔２２０４から爪部２１２が抜けることを防止している。
【００４３】
ユニットカバー２３は、湾曲部２３１を挟んで前後方向に対向する２つの第１取付部２３２のそれぞれに取付ばね２６が取り付けられ、かつ、第２取付部２３３に機能ユニット２５が取り付けられた状態で取付部材２２の取付板２２０に固定される。ここで、取付板２２０の上面２２０２には複数のねじ止め部２２６が設けられている（図６、図７参照）。各ねじ止め部２２６は、取付板２２０の上面２２０２から上向きに突出した円錐台形状の突起と、突起の上面に設けられた雌ねじとを有している。ユニットカバー２３は、複数のねじ止め部２２６の上に載せられた状態でユニットカバー２３に設けられた複数のねじ挿通孔に各別に挿通された複数の固定ねじ２２７がねじ止め部２２６の雌ねじにねじ込まれることによって取付部材２２に固定される（図５参照）。ただし、取付部材２２の取付板２２０とユニットカバー２３の平坦部２３０との間には、各ねじ止め部２２６の高さ寸法に等しい空間が形成される。また、取付部材２２の取付板２２０とユニットカバー２３の湾曲部２３１との間には、取付板２２０と平坦部２３０との間の空間よりも上下方向の寸法が大きな空間が形成される。つまり、取付部材２２の取付板２２０とユニットカバー２３との間には、ねじ止め部２２６の高さ寸法以上の隙間がある。この隙間には、入力ケーブル２４２０、出力ケーブル２４３０、制御用ケーブル２４４０などの各種ケーブルが配置される。また、この隙間には、各種ケーブルにつながる入力コネクタ２４２、出力コネクタ２４３、制御用コネクタ２４４、プラグコネクタ２４２１，２４３１，２４４１、レセプタクルコネクタ４３，２４３２などの各種コネクタが配置される。ユニットカバー２３は、これら各種ケーブル及び各種コネクタを上から覆うことにより、吊りボルトなどから各種ケーブル及び各種コネクタを保護する機能を有している。なお、入力ケーブル２４２０の先端に取り付けられたレセプタクルコネクタ２４２２は、電源用プラグコネクタ１７に接続されるため、取付部材２２とユニットカバー２３との間の隙間から引き出されている（図５参照）。
【００４４】
次に、光源ユニット２を組み立てる作業について説明する。
【００４５】
まず、作業者は、取付部材２２における取付板２２０の下面２２０１に、複数のＬＥＤ４２が実装された２枚の実装基板４１を取付板２２０との間に保護シート３１を挟むようにして取り付ける。
【００４６】
続いて作業者は、光源モジュール４を覆うようにして取付部材２２に透光カバー２１を取り付ける。具体的には、作業者は、透光カバー２１の４つの爪部２１２を取付板２２０の４つの貫通孔２２０４の位置に合わせ、透光カバー２１を押し込むことにより４つの爪部２１２を４つの貫通孔２２０４に挿通させる。このとき、貫通孔２２０４を覆っていたシール３２が爪部２１２によって突き破られる。そして、爪部２１２につられて可動片３１４が曲げられ、可動片３１４、及び可動片３１４に設けられていたシール３２の一部が貫通孔２２０４を挿通する（図９参照）。保護シート３１（可動片３１４）は、柔軟性及び弾性を有しており、元の形状に復元しようとする弾性力が曲げられた可動片３１４に作用するため、可動片３１４に設けられたシール３２の一部が爪部２１２の挿通片２１２１に押し付けられて密着する。
【００４７】
また、爪部２１２の係止片２１２２が取付板２２０における貫通孔２２０４の縁に引っ掛かることにより、爪部２１２が貫通孔２２０４に挿通された状態で保持される。この状態では、透光カバー２１のカバー端部２１１１と取付板２２０との間にシール３２及び保護シート３１が挟まれ、シール３２が弾性変形した状態となり、カバー端部２１１１に密着する（図１０参照）。
【００４８】
続いて作業者は、取付部材２２における取付板２２０の上面２２０２に電源ユニット２４を取り付ける。そして、機能ユニット２５、及び取付ばね２６が設けられたユニットカバー２３を取付板２２０の上面２２０２に取り付ける。取付板２２０にユニットカバー２３が取り付けられることにより、貫通孔２２０４から爪部２１２が抜けることが防止される。つまり、取付部材２２から透光カバー２１が外れることが防止される。
【００４９】
このように、本実施形態の光源用筐体２０は、透光カバー２１のカバー端部２１１１と取付部材２２の取付板２２０との間に、保護部材３である保護シート３１及びシール３２が挟まれている。これにより、カバー端部２１１１と取付板２２０との間における隙間が小さくなり、取付部材２２と透光カバー２１とに囲まれた空間内への塵埃、虫等の異物の進入が抑制される。これにより、光源モジュール４の照射光によって、透光カバー２１に異物の影が映ることが抑制される。
【００５０】
また、本実施形態では、シール３２が弾性部材で構成されているため、シール３２が弾性変形することでカバー端部２１１１と取付板２２０との間の隙間における埋められ、取付部材２２と透光カバー２１とに囲まれた空間内への異物の進入がより抑制される。本実施形態では、シール３２は、発泡樹脂で構成されているので、比較的弱い力で弾性変形させることができる。また、シール３２は、保護シート３１に対して透光カバー２１側に設けられている。したがって、カバー端部２１１１に沿うようにシール３２を弾性変形させることができ、カバー端部２１１１と取付板２２０との間における隙間がより小さくなる。また、熱等によって透光カバー２１が伸縮した場合であっても、シール３２が透光カバー２１の伸縮に追従して弾性変形するので、カバー端部２１１１と取付板２２０との間における隙間を埋めることができる。
【００５１】
また、保護シート３１は、透光カバー２１の爪部２１２が挿通する貫通孔２２０４に対応する部位にスリット３１３が設けられており、このスリット３１３により形成された可動片３１４が貫通孔２２０４に挿通した爪部２１２に追従するように曲がる。曲げられた可動片３１４の弾性力により、可動片３１４に設けられたシール３２が爪部２１２に押し付けられる。これにより、爪部２１２が挿通した貫通孔２２０４をシール３２と可動片３１４とで塞ぐことができ、貫通孔２２０４を介した取付部材２２と透光カバー２１とに囲まれた空間内への異物の進入が抑制される。また、保護シート３１には、スリット３１３が複数設けられているので、可動片３１４を爪部２１２に追従させやすくなり、貫通孔２２０４を介した取付部材２２と透光カバー２１とに囲まれた空間内への異物の進入がより抑制される。また、複数のスリット３１３により、取付部材２２に対して保護シート３１、透光カバー２１が位置ずれした場合であっても、可動片３１４を爪部２１２に追従させることができる。したがって、貫通孔２２０４を介した取付部材２２と透光カバー２１とに囲まれた空間内への異物の進入がより抑制される。
【００５２】
また、保護シート３１は、取付部材２２において、光源モジュール４のレセプタクルコネクタ４３を挿通させる挿通孔２２０３、実装基板４１を取付部材２２に取り付けるためのねじ孔を除く部分を覆っている。言い換えれば、保護シート３１は、取付部材２２において、コネクタやねじ等の物体を通す必要がある孔以外の部分を覆っている。つまり、保護シート３１は、カバー端部２１１１と取付部材２２との間に位置する第１部分３１０１と、実装基板４１と取付部材２２との間に位置する第２部分３１０２とを有している（図４参照）。本実施形態では、取付部材２２における実装基板４１との対向部位には、補強用の切り起しにより形成された孔２２０５、ユニットカバー２３の取り付けに用いられなかったねじ孔２２０６、円形の貫通孔２２０７が形成されている。これらの孔は、保護シート３１の第２部分３１０２により覆われる。これにより、取付部材２２に設けられた物体が通されていない孔を介した取付部材２２と透光カバー２１とに囲まれた空間内への異物の進入が抑制される。
【００５３】
また、光源ユニット２の組み立て作業時において、予めシール３２が設けられた保護シート３１を実装基板４１と取付部材２２との間に挟むことができる。したがって、光源ユニット２の組み立て作業時において、所定位置にシール３２を取り付ける作業が不要となり、作業工数を削減することができる。また、保護シート３１よりも重い取付部材２２や、保護シート３１よりも配置スペースが小さい透光カバー２１のカバー端部２１１１に比べて、保護シート３１の方がシール３２を設けやすい。
【００５４】
次に、照明器具１を天井に施工する作業について説明する。まず、施工作業を行う作業者は、本体部１１の電源孔１１０、信号孔１１１にそれぞれ電源ケーブル１６、信号ケーブル１８を挿通した後、ボルト挿通孔１１２に挿通した吊りボルトにナットを締め付けることで本体部１１を天井に取り付ける。また、作業者は、電源孔１１０から引き込んだ電源ケーブル１６を第１端子台１４に結線し、信号孔１１１から引き込んだ信号ケーブル１８を第２端子台１５に結線する。
【００５５】
続いて作業者は、本体部１１に本体カバー１２を取り付ける。作業者は、本体部１１の４つの引掛ばね１３のうちの１つの引掛ばね１３の第１腕部１３１を下に引張り、４つの引掛部１２５のうちの対応する１つの引掛部１２５に第１腕部１３１の先端を引っ掛ける。作業者は、残り３つの引掛ばね１３の第１腕部１３１の先端をそれぞれの引掛ばね１３と対応する引掛部１２５に１つずつ順番に引っ掛ける。それから、作業者は、４つの引掛ばね１３の第１腕部１３１の先端を４つの引掛部１２５に引っ掛けた状態で本体カバー１２を本体部１１に近付けるように上に持ち上げる。各引掛ばね１３の第１腕部１３１は、各引掛部１２５に引っ掛かったままで上向きに変位（回転）する。そして、本体部１１の下端縁が本体カバー１２の第１部分１２１の上面に当たると、４つの引掛部１２５に引っ掛けられた４つの引掛ばね１３のばね力によって本体部１１と本体カバー１２との結合状態が維持される。
【００５６】
上述のような手順で器具本体１０が天井に取り付けられる。続いて、器具本体１０に光源ユニット２を取り付ける手順を説明する。
【００５７】
作業者は、前方の突壁１２３に設けられた貫通孔１２４に前方の取付ばね２６の引掛片２６４を挿入し、貫通孔１２４の縁に引掛片２６４を引っ掛けることで光源ユニット２を器具本体１０に仮保持させる。作業者は、光源ユニット２を器具本体１０に仮保持させた状態で第１端子台１４の電源線１４０及び第２端子台１５の信号線１５０と電源ユニット２４の結線作業を行う。結線作業の完了後、作業者は、後方の突壁１２３に設けられた貫通孔１２４に後方の取付ばね２６の第１腕部２６１を挿入した後、光源ユニット２を持ち上げて本体カバー１２の開口部１２０内に収める。光源ユニット２が開口部１２０内に収められると、各取付ばね２６の第１腕部２６１が前方及び後方の突壁１２３の各貫通孔１２４の縁に引っ掛かる（図１１参照）。その結果、光源ユニット２は、２つの取付ばね２６のばね力によって器具本体１０（本体カバー１２）に支持される。以上のような手順で照明器具１の施工作業が完了する（図１１〜図１３参照）。
【００５８】
なお、上述した例では、シール３２は、発泡樹脂で構成されていたが、これに限らず、例えばシリコーン樹脂、保護シート３１と同様の樹脂材等の他の部材で構成されていてもよい。
【００５９】
また、上述した例では、保護部材３は、保護シート３１とシール３２とを備えた構成であるが、これに限らない。図１４Ａ、図１４Ｂを参照して、光源用筐体２０の変形例について説明する。本変形例の光源用筐体２０は、保護部材３Ｘが、保護シート３１のみを有する点が、上述した保護部材３と相違する。なお、本変形例の光源用筐体２０の基本構成は、上述した光源用筐体２０と共通であり、共通の構成要素については同一の符号を付して適宜図示並びに説明を省略する。
【００６０】
保護シート３１は、全周に沿って一方向に曲げられた曲部３１５が設けられている。図１４Ａに示すように、保護シート３１は、取付部材２２における取付板２２０の下面２２０１に取り付けられると、曲部３１５により縁の全周が取付板２２０の下面２２０１から離れる。そして、図１４Ｂに示すように、透光カバー２１が取付部材２２に取り付けられると、保護シート３１にカバー端部２１１１が接触し、保護シート３１の端部が取付板２２０に近付くように曲部３１５が伸ばされる。つまり、保護シート３１は、取付部材２２と透光カバー２１のカバー端部２１１１との間に位置する第１部分３１０１が、カバー端部２１１１と接触するように曲げられた曲部３１５を有する。保護シート３１は、柔軟性、及び弾性を有しており、カバー端部２１１１によって伸ばされた曲部３１５が元の形状に復元しようとする弾性力によって、カバー端部２１１１に接触する。これにより、カバー端部２１１１と取付板２２０との隙間を介して取付部材２２と透光カバー２１とに囲まれた空間内への異物の進入が抑制される。
【００６１】
また、本実施形態の照明器具１において、器具本体１０と組み合わされる光源ユニット２は上述した光源ユニット２に限定されない。例えば、以下に説明する光源ユニット２Ｘも器具本体１０と組み合わせることができる。なお、光源ユニット２Ｘの基本構成は光源ユニット２と共通である。したがって、以下の光源ユニット２Ｘの説明において、上述した光源ユニット２と共通の構成要素については同一の符号を付して適宜図示並びに説明を省略する。
【００６２】
光源ユニット２Ｘは、図１５〜図１７に示すように、一部分を取付部材２２の左端縁から取付部材２２の外に突出させた引掛部材２７を有している。引掛部材２７は平板部２７０と幅広部２７１とを有している。ただし、平板部２７０と幅広部２７１とは亜鉛鋼板などの金属板によって一体に形成されている。
【００６３】
平板部２７０は概ね矩形に形成されている。幅広部２７１は、平板部２７０の４つの辺のうちの１つの辺（図１５における左辺）から下向きに突出している。幅広部２７１の長手方向の長さ寸法は、幅広部２７１の長手方向に沿った平板部２７０の長手方向の長さ寸法よりも大きい。つまり、幅広部２７１は、その長手方向の両端に、平板部２７０の長手方向の両端の外に突出する突部２７２を有している。
【００６４】
引掛部材２７は、平板部２７０の短手方向（図１５における左右方向）におけるおおよそ半分の部分が取付部材２２の取付板２２０の上面に取り付けられる。なお、平板部２７０は、取付板２２０とユニットカバー２３の平坦部２３０との間に挟まれるようにして取付板２２０に固定される（図１６参照）。さらに、平板部２７０の短手方向における残り半分の部分には電源ユニット２４が取り付けられる。つまり、電源ユニット２４は、平板部２７０の上面に取り付けられることにより、点灯中の光源モジュール４から放射される熱の影響を受け難くされている。
【００６５】
また、光源ユニット２Ｘにおいて、ユニットカバー２３の３つの第１取付部２３２のうちの右端（図１６においては左端）の第１取付部２３２にのみ取付ばね２６が取り付けられている（図１６参照）。
【００６６】
次に、光源ユニット２Ｘを器具本体１０に取り付ける手順を説明する。
【００６７】
作業者は、開口部１２０を介して、左方の突壁１２３の上端部と本体部１１の底面との間の隙間に引掛部材２７の幅広部２７１を挿入した後、左方の突壁１２３の両側の端部の突出片１２６に幅広部２７１の両側の突部２７２を引っ掛ける。その結果、図１８に示すように、光源ユニット２Ｘが器具本体１０に仮吊りされる。作業者は、光源ユニット２を器具本体１０に仮吊りさせた状態で第１端子台１４の電源線１４０及び第２端子台１５の信号線１５０と電源ユニット２４の結線作業を行う。結線作業の完了後、作業者は、右方の突壁１２３に設けられた貫通孔１２４に取付ばね２６の第１腕部２６１を挿入した後、光源ユニット２を持ち上げて本体カバー１２の開口部１２０内に収める。光源ユニット２が開口部１２０内に収められると、取付ばね２６の第１腕部２６１が貫通孔１２４の縁に引っ掛かる。また、引掛部材２７が開口部１２０から離れる向きに移動し、左方の突壁１２３に引掛部材２７が引っ掛けられる（図１９参照）。その結果、光源ユニット２Ｘは、１つの取付ばね２６と引掛部材２７とによって器具本体１０（本体カバー１２）に支持される。以上のような手順で照明器具１の施工作業が完了する。
【００６８】
なお、上述した例では、光源用筐体２０と器具本体１０とが別体に構成されているが、これに限らず、光源用筐体２０と器具本体１０とが一体に構成されていてもよい。この場合、器具本体１０と一体に構成され天井に取り付けられる光源用筐体２０と、この光源用筐体２０に収納される光源モジュール４とを備える光源ユニット２（２Ｘ）が、照明器具として機能する。
【００６９】
＜まとめ＞
第１態様に係る光源用筐体（２０）は、取付部材（２２）と、透光カバー（２１）と、保護部材（３，３Ｘ）と、を備えている。取付部材（２２）は、光源モジュール（４）が一面（下面２２０１）に取り付けられる。透光カバー（２１）は、一面（２２０１）と対向する底部（２１０）、及び底部（２１０）の周縁から取付部材（２２）に向かって突出する周壁部（２１１）を有し、一面（２２０１）を覆うように取付部材（２２）に取り付けられる。保護部材（３，３Ｘ）は、周壁部（２１１）の端部であって取付部材（２２）と対向するカバー端部（２１１１）と取付部材（２２）とで挟まれる。また、保護部材（３，３Ｘ）は、柔軟性を有し少なくとも一部がカバー端部（２１１１）と取付部材（２２）との間に位置する保護シート（３１）を有する。
【００７０】
この態様によれば、保護シート（３１）によりカバー端部（２１１１）と取付部材（２２）との間における隙間が小さくなり、取付部材（２２）と透光カバー（２１）とに囲まれた空間内への異物の進入が抑制される。これにより、光源モジュール（４）の照射光によって、透光カバー（２１）に異物の影が映ることが抑制される。
【００７１】
第２態様に係る光源用筐体（２０）では、第１態様において、保護シート（３１）は、第１部分（３１０１）と、第２部分（３１０２）と、を有する。第１部分（３１０１）は、取付部材（２２）とカバー端部（２１１１）との間に位置する。第２部分（３１０２）は、取付部材（２２）と光源モジュール（４）との間に位置する。
【００７２】
この態様によれば、取付部材（２２）において、光源モジュール（４）との対向部位に孔（２２０５、２２０６、２２０７）が設けられている場合、この孔（２２０５、２２０６、２２０７）を保護シート（３１）の第２部分（３１０２）により覆うことができる。これにより、取付部材（２２）の孔（２２０５、２２０６、２２０７）を介した取付部材（２２）と透光カバー（２１）とに囲まれた空間内への異物の進入が抑制される。
【００７３】
第３態様に係る光源用筐体（２０）では、第１又は第２態様において、透光カバー（２１）は、カバー端部（２１１１）から突出した爪部（２１２）を更に有する。爪部（２１２）は、取付部材（２２）に設けられた貫通孔（２２０４）を通って貫通孔（２２０４）の縁に引っ掛けられる。保護シート（３１）は、貫通孔（２２０４）に対応する部位にスリット（３１３）が設けられている。
【００７４】
この態様によれば、保護シート（３１）を、貫通孔（２２０４）に挿通した爪部（２１２）に追従するように曲げることができ、貫通孔（２２０４）を介した取付部材（２２）と透光カバー（２１）とに囲まれた空間内への異物の進入が抑制される。
【００７５】
第４態様に係る光源用筐体（２０）では、第３態様において、保護シート（３１）は、貫通孔（２２０４）に対応する部位にスリット（３１３）が複数設けられている。
【００７６】
この態様によれば、保護シート（３１）を爪部（２１２）により追従させやすくなり、貫通孔（２２０４）を介した取付部材（２２）と透光カバー（２１）とに囲まれた空間内への異物の進入がより抑制される。
【００７７】
第５態様に係る光源用筐体（２０）では、第１〜第４態様のいずれかにおいて、保護部材（３）は、保護シート（３１）に設けられたシール（３２）を更に有する。シール（３２）は、保護シート（３１）と共に、カバー端部（２１１１）と取付部材（２２）とで挟まれる。
【００７８】
この態様によれば、カバー端部（２１１１）と取付部材（２２）との間における隙間をより小さくすることができ、取付部材（２２）と透光カバー（２１）とに囲まれた空間内への異物の進入がより抑制される。
【００７９】
第６態様に係る光源用筐体（２０）では、第５態様において、シール（３２）は、保護シート（３１）に対して透光カバー（２１）側に設けられている。
【００８０】
この態様によれば、シール（３２）をカバー端部（２１１１）に接触させやすくなり、取付部材（２２）と透光カバー（２１）とに囲まれた空間内への異物の進入がより抑制される。
【００８１】
第７態様に係る光源用筐体（２０）では、第６態様において、シール（３２）は、弾性を有する弾性部材であり、弾性変形してカバー端部（２１１１）に密着する。
【００８２】
この態様によれば、透光カバー（２１）が変形したとしても、透光カバー（２１）の変形に追従してシール（３２）を弾性変形してカバー端部（２１１１）に密着する。したがって、取付部材（２２）と透光カバー（２１）とに囲まれた空間内への異物に進入がより抑制される。
【００８３】
第８態様に係る光源用筐体（２０）では、第７態様において、シール（３２）は、発泡樹脂で構成されている。
【００８４】
この態様によれば、伸縮性が比較的大きく、柔らかいシール（３２）を用いることができ、カバー端部（２１１１）と取付部材（２２）との間の隙間をより小さくして、取付部材（２２）と透光カバー（２１）とに囲まれた空間内への異物に進入がより抑制される。
【００８５】
なお、第２〜第８態様に係る構成については、光源用筐体（２０）に必須の構成ではなく、適宜省略可能である。
【００８６】
第９態様に係る光源ユニット（２，２Ｘ）は、第１〜第８態様のいずれかの光源用筐体（２０）と、光源用筐体（２０）に収納される光源モジュール（４）と、を備える。光源モジュール（４）は、取付部材（２２）に取り付けられる実装基板（４１）と、実装基板（４１）に実装された固体光源（ＬＥＤ４２）と、を有する。
【００８７】
この態様によれば、光源用筐体（２０）における取付部材（２２）と透光カバー（２１）とに囲まれた空間内への異物の進入が抑制される。
【００８８】
第１０態様に係る照明器具（１）は、第９態様の光源ユニット（２，２Ｘ）と、光源ユニット（２，２Ｘ）を支持する器具本体（１０）と、を備える。
【００８９】
この態様によれば、光源用筐体（２０）における取付部材（２２）と透光カバー（２１）とに囲まれた空間内への異物の進入が抑制される。
【符号の説明】
【００９０】
１  照明器具
１０  器具本体
２０  光源用筐体
２１  透光カバー
２１０  底部
２１１  周壁部
２１１１  カバー端部
２１２  爪部
２２  取付部材
２２０１  下面（一面）
２２０４  貫通孔
３，３Ｘ  保護部材
３１  保護シート
３１０１  第１部分
３１０２  第２部分
３１３  スリット
３２  シール
４  光源モジュール
４１  実装基板
４２  ＬＥＤ（固体光源）
【図１】
2019012607.tif 000003
【図２】
2019012607.tif 000004
【図３】
2019012607.tif 000005
【図４】
2019012607.tif 000006
【図５】
2019012607.tif 000007
【図６】
2019012607.tif 000008
【図７】
2019012607.tif 000009
【図８】
2019012607.tif 000010
【図９】
2019012607.tif 000011
【図１０】
2019012607.tif 000012
【図１１】
2019012607.tif 000013
【図１２】
2019012607.tif 000014
【図１３】
2019012607.tif 000015
【図１４】
2019012607.tif 000016
【図１５】
2019012607.tif 000017
【図１６】
2019012607.tif 000018
【図１７】
2019012607.tif 000019
【図１８】
2019012607.tif 000020
【図１９】
2019012607.tif 000021